(57)【要約】【課題】空気伝搬成分が支配的な重量床衝撃音を低減させる。【解決手段】  床構造１０の小梁１３と、天井構造２０の梁２１とが直交するように積層する。従って、床構造１０の曲げ剛性が小さい方向（弱軸方向）と天井構造２０の曲げ剛性が小さい方向（弱軸方向）とが直交する。すなわち、床構造１０の曲げ剛性が小さい方向と天井構造２０の曲げ剛性が大きい方向とを一致させる。【選択図】図５
2006083644.tif 000002
【特許請求の範囲】
【請求項１】
互いにほぼ平行に配置された複数の第１梁材と、前記第１梁材の上方に配置された第１板材とを有する床構造と、互いにほぼ平行に配置された複数の第２梁材と、前記第２梁材の下方に配置された第２板材とを有する天井構造とを備えた床−天井構造であって、
前記床構造の曲げ剛性が小さい方向と前記天井構造の曲げ剛性が小さい方向とが一致していないことを特徴とする床−天井構造。
【請求項２】
互いにほぼ平行に配置された複数のパネル構造と、前記パネル構造の上方に配置された第１板材とを有する床構造と、互いにほぼ平行に配置された複数の第２梁材と、前記第２梁材の下方に配置された第２板材とを有する天井構造とを備えた床−天井構造であって、
前記床構造の曲げ剛性が小さい方向と前記天井構造の曲げ剛性が小さい方向とが一致していないことを特徴とする床−天井構造。
【請求項３】
前記床構造の曲げ剛性が小さい方向と前記天井構造の曲げ剛性が大きい方向とがほぼ一致していることを特徴とする請求項１または２に記載の床−天井構造。
【請求項４】
前記床構造の曲げ剛性が小さい方向と前記天井構造の曲げ剛性が小さい方向とがほぼ直交していることを特徴とする請求項１または２に記載の床−天井構造。
【請求項５】
前記床構造と前記天井構造との間には防振機構が設けられていることを特徴とする請求項１〜４のいずれか１項に記載の床−天井構造。
【発明の詳細な説明】
【技術分野】
【０００１】
本発明は、住宅などの建築構造物の床および天井構造に関するものである。
【背景技術】
【０００２】
金属形材製の骨組みの床構造や木材の骨組みの床構造を有する２階建て以上の建築物において、上階床上での歩行や飛び跳ね、物の落下などによって、下階で発生する衝撃音が問題となることがある。
【０００３】
この衝撃音は、床衝撃音と呼ばれ、ＪＩＳ規格で測定方法および評価方法が定められている。なお、床衝撃音には、子供の飛び跳ねなどの重量物の落下に起因する重量床衝撃音と、スプーンなどの軽量物の落下に起因する軽量床衝撃音とがある。一般に、前者は６３Ｈｚバンド（１／１オクターブバンド）など低周波数域の音が、後者は２５０〜５００Ｈｚバンド（１／１オクターブバンド）など中〜高周波数域の音が主成分であり、これらの帯域の成分がＬ等級（ＪＩＳ規格で規定されている床衝撃音遮断性能等級の呼称）を決定する。
【０００４】
床構造の開発において、この床衝撃音を低減することは大きな課題となっている。床衝撃音は、（ａ）上階床に加わった衝撃力により上階床が振動し、（ｂ）その床振動が下階の天井、壁に伝搬し、（ｃ）その天井、壁の振動から下階室内に音が放射される、というメカニズムで発生する。また、（ｂ）の振動の伝搬経路は大別して、固体伝搬と空気伝搬との２つがある。軽量床衝撃音は、床仕上げ材の工夫などで容易に床振動（ａ）を低減できるので、対策は比較的容易である。一方、重量床衝撃音は、床、天井、壁の構造変更など、大掛かりな対策を必要とし、大きな技術課題となっている。
【０００５】
上述した重量床衝撃音を低減するためには、床を防振支持し、さらには天井を床から吊らないという対策をとることがある。上述のメカニズムの伝搬経路（ｂ）において、固体伝搬が空気伝搬より著しく大きい場合には、この対策によって大きな効果が得られる。
【特許文献１】特公平８−１０８２号公報
【特許文献２】特公平８−１６３６８号公報
【発明の開示】
【発明が解決しようとする課題】
【０００６】
しかしながら、対策前の構造において、空気伝搬が固体伝搬より著しく大きい場合には、この対策では効果は得られず、空気伝搬成分を低減する対策が必要になる。また、対策前の構造において、固体伝搬が空気伝搬より著しく大きい場合であっても、本対策により床振動が対策前より増大、そのため、空気伝搬成分が増大し、十分な対策効果が得られなかったり、あるいは、本対策により固体伝搬成分は低減するので、さらに性能を向上させたい場合にも、空気伝搬成分を低減する対策が必要になる。
【０００７】
そこで、本発明の目的は、空気伝搬成分が支配的な重量床衝撃音を低減させることである。
【課題を解決するための手段および発明の効果】
【０００８】
本発明者らは、上記目的を達成するために、Ｃ型形鋼の大梁（端根太、側根太）、小梁（床根太）及び構造用合板の床板から構成される床構造を有する住宅において、重量床衝撃音をＪＩＳ規格にしたがって測定した。その結果、図８に示されるように、低周波数領域（図８では、６３Ｈｚオクターブバンド）の衝撃音レベルがＬ等級を決定していることを確認した。そして、この低周波数領域について、上階床構造及び下階天井構造の振動変形を実験により詳細に調査した。
【０００９】
調査の結果、衝撃力が作用したときの床構造及び天井構造の変形は、例えば、図９（ａ）及び図９（ｂ）に示すように曲げ変形しており、それらの曲げ変形は床構造の弱軸方向が主体であった。ここで、弱軸方向とは、矩形の床構造の各辺と平行な直交２方向のうち、曲げ剛性の小さい方向のことである。すなわち、より低い周波数でより高次の共振モードが発生する方向である。このような床−天井構造では、床板−天井板間の空気圧も床構造の弱軸方向を主体とした分布になっている。従って、天井構造は弱軸方向に分布を持った空気圧による力を受け、床構造と同様に、弱軸方向に曲げ変形する。この調査結果から、発明者らは、床構造の弱軸方向に曲げ変形し難いような天井構造にすれば、重量床衝撃音を低減できるということを見出した。
【００１０】
そこで、本発明の床−天井構造は、互いにほぼ平行に配置された複数の第１梁材と、前記第１梁材の上方に配置された第１板材とを有する床構造と、互いにほぼ平行に配置された複数の第２梁材と、前記第２梁材の下方に配置された第２板材とを有する天井構造とを備えた床−天井構造であって、前記床構造の曲げ剛性が小さい方向と前記天井構造の曲げ剛性が小さい方向とが一致していないことを特徴としている。
【００１１】
この構成によると、床構造の曲げ剛性が小さい方向と天井構造の曲げ剛性が小さい方向とが一致していないので、第１板材と第２板材との間の空気の振動によって第２板材の振動が励起されにくい。従って、重量床衝撃音を低減することができる。また、元来必要な部材の配置方向を変更するだけで重量床衝撃音を低減することができるので、材料および施工コストが増加しない。
【００１２】
本発明の床−天井構造は、互いにほぼ平行に配置された複数のパネル構造と、前記パネル構造の上方に配置された第１板材とを有する床構造と、互いにほぼ平行に配置された複数の第２梁材と、前記第２梁材の下方に配置された第２板材とを有する天井構造とを備えた床−天井構造であって、前記床構造の曲げ剛性が小さい方向と前記天井構造の曲げ剛性が小さい方向とが一致していないことを特徴としている。
【００１３】
この構成によると、床構造の曲げ剛性が小さい方向と天井構造の曲げ剛性が小さい方向とが一致していないので、第１板材と第２板材との間の空気の振動によって第２板材の振動が励起されにくい。従って、重量床衝撃音を低減することができる。また、元来必要な部材の配置方向を変更するだけで重量床衝撃音を低減することができるので、材料および施工コストが増加しない。
【００１４】
本発明の床−天井構造において、前記床構造の曲げ剛性が小さい方向と前記天井構造の曲げ剛性が大きい方向とがほぼ一致していてもよい。
【００１５】
この構成によると、確実に、重量床衝撃音を低減することができる。
【００１６】
本発明の床−天井構造において、前記床構造の曲げ剛性が小さい方向と前記天井構造の曲げ剛性が小さい方向とがほぼ直交していてもよい。
【００１７】
この構成によると、確実に、重量床衝撃音を低減することができる。
【００１８】
本発明の床−天井構造において、前記床構造と前記天井構造との間には防振機構が設けられていてもよい。
【００１９】
この構成によると、確実に、重量床衝撃音を低減することができる。
【発明を実施するための最良の形態】
【００２０】
以下、本発明の好適な実施の形態について、図面を参照しつつ説明する。図１は、本発明の実施の形態に係る床−天井構造を有する戸建て住宅の外観斜視図を示す図である。図２は、床構造の上面図であり、図３は、天井構造の上面図である。図４は、床構造および天井構造の配置方向を示す図である。図５は、床構造および天井構造の積層状態を示す図である。
【００２１】
戸建て住宅１は、２階建て構造であって、下階の部屋２（以下、「下階２」と称する）と、上階の部屋３（以下、「上階３」と称する）とを有している。ここで、下階２及び上階３の下端部には、その全面にわたる床構造１０が設けられており、その上端部には、その全面にわたる天井構造２０が設けられている。従って、下階２と上階３との間には、上階３の床構造１０と下階２の天井構造２０とが積層された床−天井構造５０が設けられる。
【００２２】
床構造１０は、図２に示すように、金属形材製の大梁１１を矩形状に組み込んだ枠体１２と、枠体１２を構成する大梁１１のうち対向する大梁間を結合するように平行配置された金属形材製の４本の小梁１３と、大梁１１及び小梁１３の上面に接合された床板１４とを有している。ここで、床構造１０の曲げ剛性は、小梁１３の長手方向（図２では左右方向）に強く、小梁１３の長手方向と垂直な方向（図２では上下方向）に弱くなる。
【００２３】
床板１４は、所定厚さを有する矩形状の板状部材であって、例えばパーティクルボード、構造用合板などの木質板である。大梁１１及び小梁１３は、図５に示すように、約１ｍｍ程度の鋼製の薄肉形材であって、略Ｃ型の断面を有するように折り曲げられている。なお、大梁１１及び小梁１３の断面は、略コ型であってもよいし、中空形材であってもよい。また、大梁１１及び小梁１３は、木角材であってもよい。そして、大梁１１及び小梁１３の両端面（図５では、上端面及び下端面）は平面になっており、その一端面（図５では上端面）が床板１４の下面に接合されている。
【００２４】
天井構造２０は、図３に示すように、平行配置された５本の梁２１と、梁２１の下面に接合された天井板２２とを有している。ここで、天井構造２０の曲げ剛性は、梁２１の長手方向（図３では上下方向）に強く、梁２１の長手方向と垂直な方向（図３では左右方向）に弱くなる。
【００２５】
天井板２２は、所定厚さを有する矩形状の板状部材であって、例えば石膏ボードである。梁２１は、床構造１０の大梁１１及び小梁１３と同様に、約１ｍｍ程度の鋼製の薄肉形材であって、略Ｃ型の断面を有するように折り曲げられている。なお、梁２１の断面は、略コ型であってもよいし、中空形材であってもよい。また、梁２１は、木角材であってもよい。そして、梁２１の両端面（図５では、上端面及び下端面）は平面になっており、その一端面（図５では下端面）が天井板２２の上面に接合されている。
【００２６】
図５（ａ）は、天井構造２０の梁２１に沿った方向の断面図であり、図５（ｂ）は、床構造１０の梁１１に沿った方向の断面図である。そして、床構造１０の大梁１１は、図５（ａ）に示すように、その下端部が下階２の下階壁２５の上面に配置される。ここで、床構造１０の大梁１１と下階２の下階壁２５の上面との間には、防振材３０が設けられる。ここで、防振材３０は、例えば、金属製や樹脂製のばね、ゴムやウレタンなどの樹脂を板状やブロック状などに成形したものである。また、天井構造２０の梁２１は、下階２の下階壁２５の内側面に設けられた受け材２６によって保持されている。
【００２７】
そして、床構造１０と天井構造２０とは、図４に示すように、床構造１０の小梁１３と、天井構造２０の梁２１とが直交するように積層される。なお、図４では、床構造１０の大梁１１、小梁１３および天井構造２０の梁２１だけが図示されている。従って、床構造１０の曲げ剛性が小さい方向（弱軸方向）と天井構造２０の曲げ剛性が小さい方向（弱軸方向）とが直交する。すなわち、床構造１０の曲げ剛性が小さい方向と天井構造２０の曲げ剛性が大きい方向とは一致している。
【００２８】
以上説明したように、本実施の形態の床−天井構造５０では、床構造１０の小梁１３の配置方向と天井構造２０の天井板２２が接合された梁２１の配置方向が直交する、すなわち、床構造１０の弱軸方向と天井構造２０の弱軸方向とが直交しているため、床板１４−天井板２２間の空気の振動によって天井板２２の振動が励起されにくく、重量床衝撃音を低減することができる。また、床−天井構造５０では、元来必要な部材の配置方向を変更するだけで重量床衝撃音を低減することができるので、材料および施工コストが増加しない。
【００２９】
以上、本発明の好適な一実施の形態について説明したが、本発明は上述の実施の形態に限られるものではなく、特許請求の範囲に記載した限りにおいて様々な設計変更が可能なものである。例えば、上述の実施の形態では、床構造１０の大梁１１と下階２の下階壁２５の上面との間には防振材３０が設けられているが、防振材３０はなくてもよく、床振動が大きく、空気伝搬成分が支配的な床−天井構造であれば、本発明の効果を得ることができる。
【００３０】
また、上述の実施の形態では、床構造１０の小梁１３と同じ高さの大梁１１が、下階２の下階壁２５の上面に防振材３０を介して配置されているが、図６に示すように、床構造１１０の床板１１４に接合された小梁１１３が大梁１１１よりも高い位置に支持されており、その大梁１１１が下階２の下階壁２５の上面に防振材１３０を介して配置されていてもよい。また、図７に示すように、床構造２１０は、複数配置されたパネルからなるパネル構造であってもよく、床板２１４の下方に平行配置された複数の床パネル２１３が配置されていてもよい。なお、床パネル２１３は、例えばコンクリート系パネル等である。ここで、長方形で材料特性が等方であるパネルの場合、一般にパネルの短手方向が弱軸方向である。
【００３１】
また、上述の実施の形態では、床構造１０には４本の小梁１３が配置されており、天井構造２０には５本の梁２１が配置されているが、小梁１３及び梁２１の数は変更することができる。また、４本の大梁によって矩形状の枠体１２が組み立てられているが、枠体１２の形状は変更することができる。
【００３２】
また、上述の実施の形態では、１つの部材である防振材３０が床構造１０と天井構造２０との間に設けられているが、複数の部材から構成された防振機構が床構造と天井構造との間に設けられていてもよい。
【図面の簡単な説明】
【００３３】
【図１】本発明の実施の形態に係る床−天井構造の骨組みを有する戸建て住宅の外観斜視図を示す図である。
【図２】図１の床構造の上面図である。
【図３】図１の天井構造の上面図である。
【図４】床構造および天井構造の配置方向を示す図である。
【図５】床構造および天井構造の積層状態を示す図である。
【図６】その他の床構造および天井構造の積層状態を示す図である。
【図７】その他の床構造および天井構造の積層状態を示す図である。
【図８】重量床衝撃音の測定結果を示す図である。
【図９】衝撃力が作用したときの床構造及び天井構造の変形状態を示す図である。
【符号の説明】
【００３４】
１  戸建て住宅
２  下階の部屋
３  上階の部屋
１０、１１０、２１０  床構造
１１  大梁
１３  小梁
１４  床板
２０  天井構造
２１  梁
２２  天井板
３０、１３０  防振材
５０    床−天井構造
【図１】
2006083644.tif 000003
【図２】
2006083644.tif 000004
【図３】
2006083644.tif 000005
【図４】
2006083644.tif 000006
【図５】
2006083644.tif 000007
【図６】
2006083644.tif 000008
【図７】
2006083644.tif 000009
【図８】
2006083644.tif 000010
【図９】
2006083644.tif 000011
【手続補正書】
【提出日】平成17年12月9日(2005.12.9)
【手続補正１】
【補正対象書類名】特許請求の範囲
【補正対象項目名】全文
【補正方法】変更
【補正の内容】
【特許請求の範囲】
【請求項１】
床構造から天井構造への振動伝搬において空気伝搬成分が支配的な床−天井構造であって、
互いにほぼ平行に配置された複数の第１梁材と、
前記第１梁材の上方に配置された第１板材とを有する床構造と、
互いにほぼ平行に配置された複数の第２梁材と、
前記第２梁材の下方に配置された第２板材とを有する天井構造とを備え、
前記床構造の曲げ剛性が小さい方向と前記天井構造の曲げ剛性が小さい方向とが一致していないことを特徴とする床−天井構造。
【請求項２】
床構造から天井構造への振動伝搬において空気伝搬成分が支配的な床−天井構造であって、
互いにほぼ平行に配置された複数のパネル構造と、
前記パネル構造の上方に配置された第１板材とを有する床構造と、
互いにほぼ平行に配置された複数の第２梁材と、
前記第２梁材の下方に配置された第２板材とを有する天井構造とを備え、
前記床構造の曲げ剛性が小さい方向と前記天井構造の曲げ剛性が小さい方向とが一致していないことを特徴とする床−天井構造。
【請求項３】
前記床構造の曲げ剛性が小さい方向と前記天井構造の曲げ剛性が大きい方向とがほぼ一致していることを特徴とする請求項１または２に記載の床−天井構造。
【請求項４】
前記床構造の曲げ剛性が小さい方向と前記天井構造の曲げ剛性が小さい方向とがほぼ直交していることを特徴とする請求項１または２に記載の床−天井構造。
【請求項５】
前記床構造と前記天井構造との間には防振機構が設けられていることを特徴とする請求項１〜４のいずれか１項に記載の床−天井構造。
【手続補正２】
【補正対象書類名】明細書
【補正対象項目名】全文
【補正方法】変更
【補正の内容】
【発明の詳細な説明】
【技術分野】
【０００１】
本発明は、住宅などの建築構造物の床および天井構造に関するものである。
【背景技術】
【０００２】
金属形材製の骨組みの床構造や木材の骨組みの床構造を有する２階建て以上の建築物において、上階床上での歩行や飛び跳ね、物の落下などによって、下階で発生する衝撃音が問題となることがある。
【０００３】
この衝撃音は、床衝撃音と呼ばれ、ＪＩＳ規格で測定方法および評価方法が定められている。なお、床衝撃音には、子供の飛び跳ねなどの重量物の落下に起因する重量床衝撃音と、スプーンなどの軽量物の落下に起因する軽量床衝撃音とがある。一般に、前者は６３Ｈｚバンド（１／１オクターブバンド）など低周波数域の音が、後者は２５０〜５００Ｈｚバンド（１／１オクターブバンド）など中〜高周波数域の音が主成分であり、これらの帯域の成分がＬ等級（ＪＩＳ規格で規定されている床衝撃音遮断性能等級の呼称）を決定する。
【０００４】
床構造の開発において、この床衝撃音を低減することは大きな課題となっている。床衝撃音は、（ａ）上階床に加わった衝撃力により上階床が振動し、（ｂ）その床振動が下階の天井、壁に伝搬し、（ｃ）その天井、壁の振動から下階室内に音が放射される、というメカニズムで発生する。また、（ｂ）の振動の伝搬経路は大別して、固体伝搬と空気伝搬との２つがある。軽量床衝撃音は、床仕上げ材の工夫などで容易に床振動（ａ）を低減できるので、対策は比較的容易である。一方、重量床衝撃音は、床、天井、壁の構造変更など、大掛かりな対策を必要とし、大きな技術課題となっている。
【０００５】
上述した重量床衝撃音を低減するためには、床を防振支持し、さらには天井を床から吊らないという対策をとることがある。上述のメカニズムの伝搬経路（ｂ）において、固体伝搬が空気伝搬より著しく大きい場合には、この対策によって大きな効果が得られる。
【特許文献１】特公平８−１０８２号公報
【特許文献２】特公平８−１６３６８号公報
【発明の開示】
【発明が解決しようとする課題】
【０００６】
しかしながら、対策前の構造において、空気伝搬が固体伝搬より著しく大きい場合には、この対策では効果は得られず、空気伝搬成分を低減する対策が必要になる。また、対策前の構造において、固体伝搬が空気伝搬より著しく大きい場合であっても、本対策により床振動が対策前より増大、そのため、空気伝搬成分が増大し、十分な対策効果が得られなかったり、あるいは、本対策により固体伝搬成分は低減するので、さらに性能を向上させたい場合にも、空気伝搬成分を低減する対策が必要になる。
【０００７】
そこで、本発明の目的は、空気伝搬成分が支配的な重量床衝撃音を低減させることである。
【課題を解決するための手段および発明の効果】
【０００８】
本発明者らは、上記目的を達成するために、Ｃ型形鋼の大梁（端根太、側根太）、小梁（床根太）及び構造用合板の床板から構成される床構造を有する住宅において、重量床衝撃音をＪＩＳ規格にしたがって測定した。その結果、図８に示されるように、低周波数領域（図８では、６３Ｈｚオクターブバンド）の衝撃音レベルがＬ等級を決定していることを確認した。そして、この低周波数領域について、上階床構造及び下階天井構造の振動変形を実験により詳細に調査した。
【０００９】
調査の結果、衝撃力が作用したときの床構造及び天井構造の変形は、例えば、図９（ａ）及び図９（ｂ）に示すように曲げ変形しており、それらの曲げ変形は床構造の弱軸方向が主体であった。ここで、弱軸方向とは、矩形の床構造の各辺と平行な直交２方向のうち、曲げ剛性の小さい方向のことである。すなわち、より低い周波数でより高次の共振モードが発生する方向である。このような床−天井構造では、床板−天井板間の空気圧も床構造の弱軸方向を主体とした分布になっている。従って、天井構造は弱軸方向に分布を持った空気圧による力を受け、床構造と同様に、弱軸方向に曲げ変形する。この調査結果から、発明者らは、床構造の弱軸方向に曲げ変形し難いような天井構造にすれば、重量床衝撃音を低減できるということを見出した。
【００１０】
そこで、本発明の床−天井構造は、床構造から天井構造への振動伝搬において空気伝搬成分が支配的な床−天井構造であって、互いにほぼ平行に配置された複数の第１梁材と、前記第１梁材の上方に配置された第１板材とを有する床構造と、互いにほぼ平行に配置された複数の第２梁材と、前記第２梁材の下方に配置された第２板材とを有する天井構造とを備え、前記床構造の曲げ剛性が小さい方向と前記天井構造の曲げ剛性が小さい方向とが一致していないことを特徴としている。
【００１１】
この構成によると、床構造の曲げ剛性が小さい方向と天井構造の曲げ剛性が小さい方向とが一致していないので、第１板材と第２板材との間の空気の振動によって第２板材の振動が励起されにくい。従って、重量床衝撃音を低減することができる。また、元来必要な部材の配置方向を変更するだけで重量床衝撃音を低減することができるので、材料および施工コストが増加しない。
【００１２】
本発明の床−天井構造は、床構造から天井構造への振動伝搬において空気伝搬成分が支配的な床−天井構造であって、互いにほぼ平行に配置された複数のパネル構造と、前記パネル構造の上方に配置された第１板材とを有する床構造と、互いにほぼ平行に配置された複数の第２梁材と、前記第２梁材の下方に配置された第２板材とを有する天井構造とを備え、前記床構造の曲げ剛性が小さい方向と前記天井構造の曲げ剛性が小さい方向とが一致していないことを特徴としている。
【００１３】
この構成によると、床構造の曲げ剛性が小さい方向と天井構造の曲げ剛性が小さい方向とが一致していないので、第１板材と第２板材との間の空気の振動によって第２板材の振動が励起されにくい。従って、重量床衝撃音を低減することができる。また、元来必要な部材の配置方向を変更するだけで重量床衝撃音を低減することができるので、材料および施工コストが増加しない。
【００１４】
本発明の床−天井構造において、前記床構造の曲げ剛性が小さい方向と前記天井構造の曲げ剛性が大きい方向とがほぼ一致していてもよい。
【００１５】
この構成によると、確実に、重量床衝撃音を低減することができる。
【００１６】
本発明の床−天井構造において、前記床構造の曲げ剛性が小さい方向と前記天井構造の曲げ剛性が小さい方向とがほぼ直交していてもよい。
【００１７】
この構成によると、確実に、重量床衝撃音を低減することができる。
【００１８】
本発明の床−天井構造において、前記床構造と前記天井構造との間には防振機構が設けられていてもよい。
【００１９】
この構成によると、確実に、重量床衝撃音を低減することができる。
【発明を実施するための最良の形態】
【００２０】
以下、本発明の好適な実施の形態について、図面を参照しつつ説明する。図１は、本発明の実施の形態に係る床−天井構造を有する戸建て住宅の外観斜視図を示す図である。図２は、床構造の上面図であり、図３は、天井構造の上面図である。図４は、床構造および天井構造の配置方向を示す図である。図５は、床構造および天井構造の積層状態を示す図である。
【００２１】
戸建て住宅１は、２階建て構造であって、下階の部屋２（以下、「下階２」と称する）と、上階の部屋３（以下、「上階３」と称する）とを有している。ここで、下階２及び上階３の下端部には、その全面にわたる床構造１０が設けられており、その上端部には、その全面にわたる天井構造２０が設けられている。従って、下階２と上階３との間には、上階３の床構造１０と下階２の天井構造２０とが積層された床−天井構造５０が設けられる。
【００２２】
床構造１０は、図２に示すように、金属形材製の大梁１１を矩形状に組み込んだ枠体１２と、枠体１２を構成する大梁１１のうち対向する大梁間を結合するように平行配置された金属形材製の４本の小梁１３と、大梁１１及び小梁１３の上面に接合された床板１４とを有している。ここで、床構造１０の曲げ剛性は、小梁１３の長手方向（図２では左右方向）に強く、小梁１３の長手方向と垂直な方向（図２では上下方向）に弱くなる。
【００２３】
床板１４は、所定厚さを有する矩形状の板状部材であって、例えばパーティクルボード、構造用合板などの木質板である。大梁１１及び小梁１３は、図５に示すように、約１ｍｍ程度の鋼製の薄肉形材であって、略Ｃ型の断面を有するように折り曲げられている。なお、大梁１１及び小梁１３の断面は、略コ型であってもよいし、中空形材であってもよい。また、大梁１１及び小梁１３は、木角材であってもよい。そして、大梁１１及び小梁１３の両端面（図５では、上端面及び下端面）は平面になっており、その一端面（図５では上端面）が床板１４の下面に接合されている。
【００２４】
天井構造２０は、図３に示すように、平行配置された５本の梁２１と、梁２１の下面に接合された天井板２２とを有している。ここで、天井構造２０の曲げ剛性は、梁２１の長手方向（図３では上下方向）に強く、梁２１の長手方向と垂直な方向（図３では左右方向）に弱くなる。
【００２５】
天井板２２は、所定厚さを有する矩形状の板状部材であって、例えば石膏ボードである。梁２１は、床構造１０の大梁１１及び小梁１３と同様に、約１ｍｍ程度の鋼製の薄肉形材であって、略Ｃ型の断面を有するように折り曲げられている。なお、梁２１の断面は、略コ型であってもよいし、中空形材であってもよい。また、梁２１は、木角材であってもよい。そして、梁２１の両端面（図５では、上端面及び下端面）は平面になっており、その一端面（図５では下端面）が天井板２２の上面に接合されている。
【００２６】
図５（ａ）は、天井構造２０の梁２１に沿った方向の断面図であり、図５（ｂ）は、床構造１０の梁１１に沿った方向の断面図である。そして、床構造１０の大梁１１は、図５（ａ）に示すように、その下端部が下階２の下階壁２５の上面に配置される。ここで、床構造１０の大梁１１と下階２の下階壁２５の上面との間には、防振材３０が設けられる。ここで、防振材３０は、例えば、金属製や樹脂製のばね、ゴムやウレタンなどの樹脂を板状やブロック状などに成形したものである。また、天井構造２０の梁２１は、下階２の下階壁２５の内側面に設けられた受け材２６によって保持されている。
【００２７】
そして、床構造１０と天井構造２０とは、図４に示すように、床構造１０の小梁１３と、天井構造２０の梁２１とが直交するように積層される。なお、図４では、床構造１０の大梁１１、小梁１３および天井構造２０の梁２１だけが図示されている。従って、床構造１０の曲げ剛性が小さい方向（弱軸方向）と天井構造２０の曲げ剛性が小さい方向（弱軸方向）とが直交する。すなわち、床構造１０の曲げ剛性が小さい方向と天井構造２０の曲げ剛性が大きい方向とは一致している。
【００２８】
以上説明したように、本実施の形態の床−天井構造５０では、床構造１０の小梁１３の配置方向と天井構造２０の天井板２２が接合された梁２１の配置方向が直交する、すなわち、床構造１０の弱軸方向と天井構造２０の弱軸方向とが直交しているため、床板１４−天井板２２間の空気の振動によって天井板２２の振動が励起されにくく、重量床衝撃音を低減することができる。また、床−天井構造５０では、元来必要な部材の配置方向を変更するだけで重量床衝撃音を低減することができるので、材料および施工コストが増加しない。
【００２９】
以上、本発明の好適な一実施の形態について説明したが、本発明は上述の実施の形態に限られるものではなく、特許請求の範囲に記載した限りにおいて様々な設計変更が可能なものである。例えば、上述の実施の形態では、床構造１０の大梁１１と下階２の下階壁２５の上面との間には防振材３０が設けられているが、防振材３０はなくてもよく、床振動が大きく、空気伝搬成分が支配的な床−天井構造であれば、本発明の効果を得ることができる。
【００３０】
また、上述の実施の形態では、床構造１０の小梁１３と同じ高さの大梁１１が、下階２の下階壁２５の上面に防振材３０を介して配置されているが、図６に示すように、床構造１１０の床板１１４に接合された小梁１１３が大梁１１１よりも高い位置に支持されており、その大梁１１１が下階２の下階壁２５の上面に防振材１３０を介して配置されていてもよい。また、図７に示すように、床構造２１０は、複数配置されたパネルからなるパネル構造であってもよく、床板２１４の下方に平行配置された複数の床パネル２１３が配置されていてもよい。なお、床パネル２１３は、例えばコンクリート系パネル等である。ここで、長方形で材料特性が等方であるパネルの場合、一般にパネルの短手方向が弱軸方向である。
【００３１】
また、上述の実施の形態では、床構造１０には４本の小梁１３が配置されており、天井構造２０には５本の梁２１が配置されているが、小梁１３及び梁２１の数は変更することができる。また、４本の大梁によって矩形状の枠体１２が組み立てられているが、枠体１２の形状は変更することができる。
【００３２】
また、上述の実施の形態では、１つの部材である防振材３０が床構造１０と天井構造２０との間に設けられているが、複数の部材から構成された防振機構が床構造と天井構造との間に設けられていてもよい。
【図面の簡単な説明】
【００３３】
【図１】本発明の実施の形態に係る床−天井構造の骨組みを有する戸建て住宅の外観斜視図を示す図である。
【図２】図１の床構造の上面図である。
【図３】図１の天井構造の上面図である。
【図４】床構造および天井構造の配置方向を示す図である。
【図５】床構造および天井構造の積層状態を示す図である。
【図６】その他の床構造および天井構造の積層状態を示す図である。
【図７】その他の床構造および天井構造の積層状態を示す図である。
【図８】重量床衝撃音の測定結果を示す図である。
【図９】衝撃力が作用したときの床構造及び天井構造の変形状態を示す図である。
【符号の説明】
【００３４】
１  戸建て住宅
２  下階の部屋
３  上階の部屋
１０、１１０、２１０  床構造
１１  大梁
１３  小梁
１４  床板
２０  天井構造
２１  梁
２２  天井板
３０、１３０  防振材
５０  床−天井構造